(57)【要約】【課題】評価対象となっている石炭、とりわけ混炭した場合の石炭について、火力プラント等の各種設備での使用の適否を容易に得られるようにする。【解決手段】１又は２以上の石炭炭種の入力と、入力する石炭炭種の配合割合の入力とを許容し（図５（ｅ）参照）、個々の石炭炭種について各種の性状項目値を記憶する第１の記憶部に記憶された石炭性状ファイルを検索して入力された石炭炭種についての性状項目値を取得し、取得した石炭炭種毎の性状項目値に基づいて入力された配合割合に応じた混炭後の性状項目値を算出し、石炭の各種性状項目についての基準値を記憶する第２の記憶部に記憶された基準値ファイルを参照して算出された混炭後の性状項目値が基準値内に収まっているかどうかを判定し、判定結果を出力するようにした。【選択図】図５
2007115203.tif 000002
【特許請求の範囲】
【請求項１】
１又は２以上の石炭炭種の入力を許容する手段と、
入力する石炭炭種の配合割合の入力を許容する手段と、
個々の石炭炭種について各種の性状項目値を記憶する第１の記憶部に記憶された石炭性状ファイルを検索し、前記入力された石炭炭種についての性状項目値を取得する手段と、
前記取得した石炭炭種毎の性状項目値に基づいて、前記入力された配合割合に応じた混炭後の性状項目値を算出する手段と、
石炭の各種性状項目についての基準値を記憶する第２の記憶部に記憶された基準値ファイルを参照し、前記算出された混炭後の性状項目値が基準値内に収まっているかどうかを判定する手段と、
前記判定の結果を出力する手段と、
を備える石炭性状評価装置。
【請求項２】
前記石炭を使用する設備の入力を許容する手段を更に備え、
前記基準値ファイルは、石炭を使用する設備毎に石炭の各種性状項目についての基準値を記憶し、
前記算出された混炭後の性状項目値が基準値内に収まっているかどうかの判定に際しては、前記入力された設備についての前記基準値を用いて判定処理を実行する、
請求項１記載の石炭性状評価装置。
【請求項３】
情報表示機能と情報入力機能とを有するユーザインターフェースを備え、
前記ユーザインターフェースに、
１又は２以上の石炭炭種の入力を許容する画面と、
入力する石炭炭種の配合割合の入力を許容する画面と、
個々の石炭炭種について各種の性状項目値を記憶する第１の記憶部に記憶された石炭性状ファイルを検索し、前記入力された石炭炭種についての性状項目値を取得する第１の処理と、前記取得した石炭炭種毎の性状項目値に基づいて、前記入力された配合割合に応じた混炭後の性状項目値を算出する第２の処理と、石炭の各種性状項目についての基準値を記憶する第２の記憶部に記憶された基準値ファイルを参照し、前記算出された混炭後の性状項目値が基準値内に収まっているかどうかを判定する第３の処理と、を実行することによって得られた前記判定の結果を表示する画面と、
を表示するようにした石炭性状評価装置。
【請求項４】
情報表示機能と情報入力機能とを有するユーザインターフェースを備え、
前記ユーザインターフェースに、
１又は２以上の石炭炭種の入力を許容する画面と、
入力する石炭炭種の配合割合の入力を許容する画面と、
前記石炭を使用する設備の入力を許容する画面と、
個々の石炭炭種について各種の性状項目値を記憶する第１の記憶部に記憶された石炭性状ファイルを検索し、前記入力された石炭炭種についての性状項目値を取得する第１の処理と、前記取得した石炭炭種毎の性状項目値に基づいて、前記入力された配合割合に応じた混炭後の性状項目値を算出する第２の処理と、石炭を使用する設備毎に石炭の各種性状項目についての基準値を記憶する第２の記憶部に記憶された基準値ファイルを参照し、前記算出された混炭後の性状項目値が前記入力された設備の基準値内に収まっているかどうかを判定する第３の処理と、を実行することによって得られた前記判定の結果を表示する画面と、
を表示するようにした石炭性状評価装置。
【請求項５】
１又は２以上の石炭炭種の入力を許容する工程と、
入力する石炭炭種の配合割合の入力を許容する工程と、
個々の石炭炭種について各種の性状項目値を記憶する第１の記憶部に記憶された石炭性状ファイルを検索し、前記入力された石炭炭種についての性状項目値を取得する工程と、
前記取得した石炭炭種毎の性状項目値に基づいて、前記入力された配合割合に応じた混炭後の性状項目値を算出する工程と、
石炭の各種性状項目についての基準値を記憶する第２の記憶部に記憶された基準値ファイルを参照し、前記算出された混炭後の性状項目値が基準値内に収まっているかどうかを判定する工程と、
前記判定の結果を出力する工程と、
を備える石炭性状評価方法。
【請求項６】
前記石炭を使用する設備の入力を許容する工程を更に備え、
前記基準値ファイルは、石炭を使用する設備毎に石炭の各種性状項目についての基準値を記憶し、
前記算出された混炭後の性状項目値が基準値内に収まっているかどうかの判定に際しては、前記入力された設備についての前記基準値を用いて判定処理を実行する、
請求項５記載の石炭性状評価方法。
【請求項７】
コンピュータにインストールされ、当該コンピュータに、
１又は２以上の石炭炭種の入力を許容する機能と、
入力する石炭炭種の配合割合の入力を許容する機能と、
個々の石炭炭種について各種の性状項目値を記憶する第１の記憶部に記憶された石炭性状ファイルを検索し、前記入力された石炭炭種についての性状項目値を取得する機能と、
前記取得した石炭炭種毎の性状項目値に基づいて、前記入力された配合割合に応じた混炭後の性状項目値を算出する機能と、
石炭の各種性状項目についての基準値を記憶する第２の記憶部に記憶された基準値ファイルを参照し、前記算出された混炭後の性状項目値が基準値内に収まっているかどうかを判定する機能と、
前記判定の結果を出力する機能と、
を実行させる石炭性状評価用コンピュータプログラム。
【請求項８】
前記コンピュータに、前記石炭を使用する設備の入力を許容する機能を更に実行させ、
前記基準値ファイルは、石炭を使用する設備毎に石炭の各種性状項目についての基準値を記憶し、
前記算出された混炭後の性状項目値が基準値内に収まっているかどうかの判定に際しては、前記入力された設備についての前記基準値を用いて判定処理を実行する、
請求項７記載の石炭性状評価用コンピュータプログラム。
【請求項９】
情報表示機能と情報入力機能とを有するユーザインターフェースを備えるコンピュータにインストールされ、当該コンピュータに、
前記ユーザインターフェースに、１又は２以上の石炭炭種の入力を許容する画面を表示する機能と、
前記ユーザインターフェースに、入力する石炭炭種の配合割合の入力を許容する画面を表示する機能と、
前記ユーザインターフェースに、個々の石炭炭種について各種の性状項目値を記憶する第１の記憶部に記憶された石炭性状ファイルを検索し、前記入力された石炭炭種についての性状項目値を取得する第１の処理と、前記取得した石炭炭種毎の性状項目値に基づいて、前記入力された配合割合に応じた混炭後の性状項目値を算出する第２の処理と、石炭の各種性状項目についての基準値を記憶する第２の記憶部に記憶された基準値ファイルを参照し、前記算出された混炭後の性状項目値が基準値内に収まっているかどうかを判定する第３の処理と、を実行することによって得られた前記判定の結果を表示する画面を表示する機能と、
を実行させる石炭性状評価用コンピュータプログラム。
【請求項１０】
情報表示機能と情報入力機能とを有するユーザインターフェースを備えるコンピュータにインストールされ、当該コンピュータに、
前記ユーザインターフェースに、１又は２以上の石炭炭種の入力を許容する画面を表示する機能と、
前記ユーザインターフェースに、入力する石炭炭種の配合割合の入力を許容する画面を表示する機能と、
前記ユーザインターフェースに、前記石炭を使用する設備の入力を許容する画面を表示する機能と、
前記ユーザインターフェースに、個々の石炭炭種について各種の性状項目値を記憶する第１の記憶部に記憶された石炭性状ファイルを検索し、前記入力された石炭炭種についての性状項目値を取得する第１の処理と、前記取得した石炭炭種毎の性状項目値に基づいて、前記入力された配合割合に応じた混炭後の性状項目値を算出する第２の処理と、石炭を使用する設備毎に石炭の各種性状項目についての基準値を記憶する第２の記憶部に記憶された基準値ファイルを参照し、前記算出された混炭後の性状項目値が前記入力された設備の基準値内に収まっているかどうかを判定する第３の処理と、を実行することによって得られた前記判定の結果を表示する画面を表示する機能と、
を実行させる石炭性状評価用コンピュータプログラム。
【発明の詳細な説明】
【技術分野】
【０００１】
本発明は、石炭の性状評価、とりわけ混炭した場合の石炭の性状評価を行なうことができる石炭性状評価装置、石炭性状評価方法及び石炭性状評価用コンピュータプログラムに関する。
【背景技術】
【０００２】
例えば火力プラント等では、適正に使用可能な石炭炭種と、使用したら何らかの不都合の発生が予想される適正に使用可能でない石炭炭種とがある。そこで、従来、石炭の受入に際しては、受け入れようとする石炭性状についての情報を予め取得し、適正に使用可能な炭種であるかどうかを判断するようにしている。
【０００３】
石炭の品質評価については、例えば特許文献１にその評価方法が記載されている。
【０００４】
また、特許文献２には、炭種毎の石炭性状の相違を外乱要因として把握し、火力プラントにおけるプラント自動制御装置（ＡＰＣ：Automatic Plant Controller）にて利用するパラメータの補正関数を自律的に修正するようにした発明が開示されている。
【０００５】
【特許文献１】特開平０８−０４９７２０号公報
【特許文献２】特開２００１−１１７６０６公報
【発明の開示】
【発明が解決しようとする課題】
【０００６】
しかしながら、特許文献１に記載されている評価方法は、石炭の性状の一つである乾燥後のコークス強度について評価を与えるに留まり、評価対象となっている石炭を火力プラント等の各種設備で適正に使用できるかどうかの判断を支援する方法ではない。
【０００７】
引用文献２は、石炭炭種毎の性状に合わせた火力プラントでのプラント運行について言及している。しかしながら、特許文献１と同様に、評価対象となっている石炭を火力プラント等の各種設備で適正に使用できるかどうかの判断を支援する方法ではない。
【０００８】
このように、評価対象となっている石炭、とりわけ混炭した場合の石炭を火力プラント等の各種設備で適正に使用できるかどうかについては、未だに人間の判断に頼っており、その判断を支援するツールも開発されていないのが現状である。
【０００９】
本発明の目的は、評価対象となっている石炭、とりわけ混炭した場合の石炭について、火力プラント等の各種設備での使用の適否を容易に得られるようにすることである。
【課題を解決するための手段】
【００１０】
本発明の石炭性状評価装置は、１又は２以上の石炭炭種の入力を許容する手段と、入力する石炭炭種の配合割合の入力を許容する手段と、個々の石炭炭種について各種の性状項目値を記憶する第１の記憶部に記憶された石炭性状ファイルを検索し、前記入力された石炭炭種についての性状項目値を取得する手段と、前記取得した石炭炭種毎の性状項目値に基づいて、前記入力された配合割合に応じた混炭後の性状項目値を算出する手段と、石炭の各種性状項目についての基準値を記憶する第２の記憶部に記憶された基準値ファイルを参照し、前記算出された混炭後の性状項目値が基準値内に収まっているかどうかを判定する手段と、前記判定の結果を出力する手段と、を備える。
【００１１】
別の面から見た本発明の石炭性状評価装置は、情報表示機能と情報入力機能とを有するユーザインターフェースを備え、前記ユーザインターフェースに、１又は２以上の石炭炭種の入力を許容する画面と、入力する石炭炭種の配合割合の入力を許容する画面と、個々の石炭炭種について各種の性状項目値を記憶する第１の記憶部に記憶された石炭性状ファイルを検索し、前記入力された石炭炭種についての性状項目値を取得する第１の処理と、前記取得した石炭炭種毎の性状項目値に基づいて、前記入力された配合割合に応じた混炭後の性状項目値を算出する第２の処理と、石炭の各種性状項目についての基準値を記憶する第２の記憶部に記憶された基準値ファイルを参照し、前記算出された混炭後の性状項目値が基準値内に収まっているかどうかを判定する第３の処理と、を実行することによって得られた前記判定の結果を表示する画面と、を表示するようにした。
【００１２】
更に別の面から見た本発明の石炭性状評価装置は、情報表示機能と情報入力機能とを有するユーザインターフェースを備え、前記ユーザインターフェースに、１又は２以上の石炭炭種の入力を許容する画面と、入力する石炭炭種の配合割合の入力を許容する画面と、前記石炭を使用する設備の入力を許容する画面と、個々の石炭炭種について各種の性状項目値を記憶する第１の記憶部に記憶された石炭性状ファイルを検索し、前記入力された石炭炭種についての性状項目値を取得する第１の処理と、前記取得した石炭炭種毎の性状項目値に基づいて、前記入力された配合割合に応じた混炭後の性状項目値を算出する第２の処理と、石炭を使用する設備毎に石炭の各種性状項目についての基準値を記憶する第２の記憶部に記憶された基準値ファイルを参照し、前記算出された混炭後の性状項目値が前記入力された設備の基準値内に収まっているかどうかを判定する第３の処理と、を実行することによって得られた前記判定の結果を表示する画面と、を表示するようにした。
【００１３】
本発明の石炭性状評価方法の発明は、１又は２以上の石炭炭種の入力を許容する工程と、入力する石炭炭種の配合割合の入力を許容する工程と、個々の石炭炭種について各種の性状項目値を記憶する第１の記憶部に記憶された石炭性状ファイルを検索し、前記入力された石炭炭種についての性状項目値を取得する工程と、前記取得した石炭炭種毎の性状項目値に基づいて、前記入力された配合割合に応じた混炭後の性状項目値を算出する工程と、石炭の各種性状項目についての基準値を記憶する第２の記憶部に記憶された基準値ファイルを参照し、前記算出された混炭後の性状項目値が基準値内に収まっているかどうかを判定する工程と、前記判定の結果を出力する工程と、を備える。
【００１４】
本発明の石炭性状評価用コンピュータプログラムは、コンピュータにインストールされ、当該コンピュータに、１又は２以上の石炭炭種の入力を許容する機能と、入力する石炭炭種の配合割合の入力を許容する機能と、個々の石炭炭種について各種の性状項目値を記憶する第１の記憶部に記憶された石炭性状ファイルを検索し、前記入力された石炭炭種についての性状項目値を取得する機能と、前記取得した石炭炭種毎の性状項目値に基づいて、前記入力された配合割合に応じた混炭後の性状項目値を算出する機能と、石炭の各種性状項目についての基準値を記憶する第２の記憶部に記憶された基準値ファイルを参照し、前記算出された混炭後の性状項目値が基準値内に収まっているかどうかを判定する機能と、前記判定の結果を出力する機能と、を実行させる。
【００１５】
別の面から見た本発明の石炭性状評価用コンピュータプログラムは、情報表示機能と情報入力機能とを有するユーザインターフェースを備えるコンピュータにインストールされ、当該コンピュータに、前記ユーザインターフェースに、１又は２以上の石炭炭種の入力を許容する画面を表示する機能と、前記ユーザインターフェースに、入力する石炭炭種の配合割合の入力を許容する画面を表示する機能と、前記ユーザインターフェースに、個々の石炭炭種について各種の性状項目値を記憶する第１の記憶部に記憶された石炭性状ファイルを検索し、前記入力された石炭炭種についての性状項目値を取得する第１の処理と、前記取得した石炭炭種毎の性状項目値に基づいて、前記入力された配合割合に応じた混炭後の性状項目値を算出する第２の処理と、石炭の各種性状項目についての基準値を記憶する第２の記憶部に記憶された基準値ファイルを参照し、前記算出された混炭後の性状項目値が基準値内に収まっているかどうかを判定する第３の処理と、を実行することによって得られた前記判定の結果を表示する画面を表示する機能と、を実行させる。
【００１６】
別の面から見た本発明の石炭性状評価用コンピュータプログラムは、情報表示機能と情報入力機能とを有するユーザインターフェースを備えるコンピュータにインストールされ、当該コンピュータに、前記ユーザインターフェースに、１又は２以上の石炭炭種の入力を許容する画面を表示する機能と、前記ユーザインターフェースに、入力する石炭炭種の配合割合の入力を許容する画面を表示する機能と、前記ユーザインターフェースに、前記石炭を使用する設備の入力を許容する画面を表示する機能と、前記ユーザインターフェースに、個々の石炭炭種について各種の性状項目値を記憶する第１の記憶部に記憶された石炭性状ファイルを検索し、前記入力された石炭炭種についての性状項目値を取得する第１の処理と、前記取得した石炭炭種毎の性状項目値に基づいて、前記入力された配合割合に応じた混炭後の性状項目値を算出する第２の処理と、石炭を使用する設備毎に石炭の各種性状項目についての基準値を記憶する第２の記憶部に記憶された基準値ファイルを参照し、前記算出された混炭後の性状項目値が前記入力された設備の基準値内に収まっているかどうかを判定する第３の処理と、を実行することによって得られた前記判定の結果を表示する画面を表示する機能と、を実行させる。
【発明の効果】
【００１７】
本発明によれば、評価対象となっている石炭、とりわけ混炭した場合の石炭について、火力プラント等の各種設備での使用の適否を容易に得ることができ、したがって、人間系作業の省力化を図ることができる。
【発明を実施するための最良の形態】
【００１８】
本発明の実施の一形態を図１ないし図９に基づいて説明する。本実施の形態は、石炭の性状評価、とりわけ混炭した場合の石炭の性状評価を行なうことができる石炭性状評価装置、石炭性状評価方法及び石炭性状評価用コンピュータプログラムである。
【００１９】
図１は、全体のシステム構成を示すブロック図である。本実施の形態は、石炭性状評価装置を構成するサーバ１０１に対して通信用のネットワーク２０１を介してコンピュータとしてのクライアントＰＣ３０１及び各種の周辺機器４０１がアクセス可能に構築された石炭性状評価システムである。このような石炭性状評価システムは、ネットワーク２０１としてＬＡＮ、専用回線網、インターネット通信網等を用いることができる。
【００２０】
サーバ１０１は、各種処理を実行するＣＰＵ１０２に固定データを固定的に記憶するＲＯＭ１０３及び可変データを書き換え自在に記憶してワークエリアとして用いられるＲＡＭ１０４がシステムバス１０５を介して接続されたマイクロコンピュータを主要な構成要素として有している。このようなサーバ１０１には、ＨＤＤ１０６、ＣＤ−ＲＯＭドライブ１０７、表示デバイスとしてのディスプレイ１０８及び入力デバイスとしてのキーボード１０９及びポインティングデバイス１１０が設けられ、これらの各部もシステムバス１０５を介してＣＰＵ１０２に接続されている。ディスプレイ１０８、キーボード１０９及びポインティングデバイス１１０は、ユーザインターフェースを構成する。サーバ１０１には、更に、各種周辺機器との間の通信を可能にするＩ／Ｆ１１１及びネットワーク２０１に接続するための通信インターフェース１１２がシステムバス１０５に接続されて設けられている。
【００２１】
ＨＤＤ１０６には石炭性状評価用コンピュータプログラム１１３が記憶されている。この石炭性状評価用コンピュータプログラム１１３は、一例として、ＣＤ−ＲＯＭ１１４に記憶され、ＣＤ−ＲＯＭドライブ１０７によって読み取られてサーバ１０１に取り込まれ、ＨＤＤ１０６にインストールされている。石炭性状評価用コンピュータプログラム１１３を記憶する媒体としては、ＣＤ−ＲＯＭ１１４に限らず、各種の光メディアや各種の磁気メディア等、データ記憶可能な各種の媒体を用いることができる。また、石炭性状評価用コンピュータプログラム１１３は、ＣＤ−ＲＯＭ１１４等のような各種の記憶媒体からＨＤＤ１０６にインストールするのではなく、例えばネットワーク２０１経由でダウンロードしてＨＤＤ１０６にインストールしても良い。
【００２２】
このような石炭性状評価用コンピュータプログラム１１３は、その起動時に、その全部又は一部がＲＡＭ１０４にコピーされ、処理の高速化が図られる。
【００２３】
クライアントＰＣ３０１は、その構造上、情報表示機能と情報入力機能とを有するユーザインターフェースを備える一般的なパーソナルコンピュータと相違する点はない。したがって、その詳細な説明は省略する。もっとも、サーバ１０１との間で通信を実行するために、図示しない通信Ｉ／Ｆを備えている必要がある。また、クライアントＰＣ３０１は、サーバ１０１との間で通信することで、石炭性状評価用コンピュータプログラム１１３に従ったサーバ１０１での処理によって生成される各種画面を表示し、このような各種画面上から特定の指示をすることができる。このため、クライアントＰＣ３０１には、石炭性状評価用コンピュータプログラム１１３の基礎となっているアプリケーションプログラムと同一のアプリケーションプログラムがインストールされているか、あるいは、ブラウザソフトウェアがインストールされている必要がある。一例として、石炭性状評価用コンピュータプログラム１１３が表計算ソフトウェア上で生成されたものである場合、クライアントＰＣ３０１にも同一の表計算ソフトウェアがインストールされている必要がある。別の一例として、石炭性状評価用コンピュータプログラム１１３が専用設計のコンピュータプログラムである場合、クライアントＰＣ３０１にもクライアント用の石炭性状評価用コンピュータプログラム１１３がインストールされている必要がある。この場合、例えば各種ファイル等のようなデータ量が膨大なデータはサーバ１０１側に配備され、クライアントＰＣ３０１には必要な限りのモジュール等が含まれていれば良い。更に別の一例として、石炭性状評価用コンピュータプログラム１１３がクライアントＰＣ３０１をユーザインターフェースとして機能させ得る記述言語を含む場合には、クライアントＰＣ３０１は石炭性状評価用コンピュータプログラム１１３がサポートするブラウザソフトウェアがインストールされている必要がある。
【００２４】
周辺機器４０１として、代表的にはプリンタ（図示せず）がネットワーク２０１に接続されている。このようなプリンタは、サーバ１０１やクライアントＰＣ３０１からの印刷指示に基づいてプリント動作を実行する。サーバ１０１及びクライアントＰＣ３０１は、印刷動作させるプリンタの種類や各種印刷設定等を指定することができる。
【００２５】
図２は、石炭性状ファイルの一例を示す模式図である。石炭性状ファイル１２１は、石炭性状評価用コンピュータプログラム１１３の一部としてＨＤＤ１０６に記憶保存され、石炭性状評価用コンピュータプログラム１１３の起動時、必要に応じてＲＡＭ１０４にコピーされて使用される。したがって、ＨＤＤ１０６、ＲＡＭ１０４は、石炭性状ファイル１２１を記憶する第１の記憶部となる。
【００２６】
別の実施の形態として、石炭性状ファイル１２１は、サーバ１０１がアクセス可能な何処かの記憶装置（図示せず）に記憶されており、必要に応じてサーバ１０１がアクセスして取得する構成であっても良い。この場合、図示しない記憶装置は、石炭性状ファイル１２１を記憶する第１の記憶部となる。
【００２７】
石炭性状ファイル１２１は、個々の石炭炭種について各種の性状項目値を記憶する。個々の石炭炭種にはコードが付され、コードによって識別可能となっている。性状項目値は、「総発熱量」、「湿分」、「全水分」、「全硫黄分」、「工業分析（細分類あり）」、「元素分析（細分類あり）」等の各性状項目についての対応する値である。
【００２８】
図３は、基準値ファイルの一例を示す模式図である。基準値ファイル１３１は、石炭性状評価用コンピュータプログラム１１３の一部としてＨＤＤ１０６に記憶保存され、石炭性状評価用コンピュータプログラム１１３の起動時、必要に応じてＲＯＭ１０３にコピーされて使用される。したがって、ＨＤＤ１０６、ＲＡＭ１０４は、基準値ファイル１３１を記憶する第２の記憶部となる。
【００２９】
別の実施の形態として、基準値ファイル１３１は、サーバ１０１がアクセス可能な何処かの記憶装置（図示せず）に記憶されており、必要に応じてサーバ１０１がアクセスして取得する構成であっても良い。この場合、図示しない記憶装置は、基準値ファイル１３１を記憶する第２の記憶部となる。
【００３０】
基準値ファイル１３１は、石炭の各種性状項目についての基準値を記憶する。基準値ファイル１３１は、個々の発電所の個々の発電設備毎に基準値を記憶している。発電所及び発電設備にはコードが付され、コードによって識別可能となっている。基準値が設定されている性状項目は、「燃焼性（細分類あり）」、「ファウリング、スラッギング特性（細分類あり）」、「排ガス（細分類あり）」、「ミル特性（細分類あり）」等である。これらの各性状項目は、石炭性状ファイル１２１に記憶されている性状項目値と対応させることが可能である。
【００３１】
図４は、記事ファイルの一例を示す模式図である。記事ファイル１４１は、石炭性状評価用コンピュータプログラム１１３の一部としてＨＤＤ１０６に記憶保存され、石炭性状評価用コンピュータプログラム１１３の起動時、必要に応じてＲＯＭ１０３にコピーされて使用される。
【００３２】
記事ファイル１４１は、評価番号毎に、事象定義と記事とを対応付けて記憶している。「事象定義」は、基準値ファイル１３１に記憶されている基準値に対して、性状項目値がある特定の状態である場合を事象と捉え、そのある特定の状態を定義している。例えば、ある性状項目値が基準値から外れている場合、外れている程度毎に異なる事象として定義されていたり、ある性状項目値が基準値から外れている場合、別の関連する性状項目が基準値内に収まっている場合と基準値から外れている場合とを区別して定義していたりする。「記事」は、事象定義毎のユーザに対する説明文である。例えば、ある性状項目値が基準値からある範囲で外れていることを「事象定義」が定義していると仮定した場合、この場合の補完手法、例えば石炭にある物質を加える等の補完手法等が「記事」として記憶されている。
【００３３】
図５は、石炭性状評価用コンピュータプログラム１１３に従った処理の進行に応じて遷移する画面遷移の一例を示す模式図である。サーバ１０１のＣＰＵ１０２は、石炭性状評価用コンピュータプログラム１１３に従い各種処理を実行し、ユーザインターフェースであるディスプレイ１０８に各種画面を表示し、このような各種画面を介してキーボード１０９及びポインティングデバイス１１０による各種入力を実現させる。このような石炭性状評価用コンピュータプログラム１１３がサーバ１０１のＣＰＵ１０２は実行させる各種処理について以下に説明する。
【００３４】
最初に、サーバ１０１とクライアントＰＣ３０１との関係について説明する。サーバ１０１でもクライアントＰＣ３０１は、石炭性状評価用コンピュータプログラム１１３を実行するコンピュータとなり得る。一例として、石炭性状評価用コンピュータプログラム１１３がサーバ１０１で実行される場合、サーバ１０１はスタンドアローン機として機能する。別の一例として、石炭性状評価用コンピュータプログラム１１３がクライアントＰＣ３０１で実行される場合、サーバ１０１は必要なデータをクライアントＰＣ３０１に転送する。例えば、データ容量が多い図２に示す石炭性状ファイル１２１や図３に示す基準値ファイル１３１についてはサーバ１０１の側に配備され、それらの石炭性状ファイル１２１及び基準値ファイル１３１のデータは要求に応じてサーバ１０１からクライアントＰＣ３０１に転送される。更に別の一例として、石炭性状評価用コンピュータプログラム１１３はサーバ１０１で実行されるが、ユーザインターフェースはクライアントＰＣ３０１のものが用いられる形態であっても良い。このように、サーバ１０１をスタンドアローン機として機能させて石炭性状評価用コンピュータプログラム１１３を実行させても、分散型システム上で石炭性状評価用コンピュータプログラム１１３を実行させても、その実行形態は問わない。もっとも、以下の記述では、説明の便宜上、サーバ１０１をスタンドアローン機として機能させて石炭性状評価用コンピュータプログラム１１３を実行させる例を説明する。
【００３５】
図５（ａ）は、ユーザインターフェースであるディスプレイ１０８に表示される石炭を使用する設備の入力を許容する画面を示している。この画面は、石炭性状評価用コンピュータプログラム１１３の起動後、ユーザインターフェースであるディスプレイ１０８に表示される図示しない初期メニューから、「石炭性状評価」がユーザインターフェースであるポインティングデバイス１１０で選択されることによって表示される。
【００３６】
図５（ａ）の画面には、ガイダンスの表示、発電所及び発電設備の入力用ボックス、キャンセルボタンが表示されている。ガイダンスには、操作手順が表示されている。発電所及び発電設備の入力用ボックスは、スピンボタンを備えている。スピンボタンは、発電所及び発電設備についてプルダウンメニューの表示をユーザに提供する。プルダウンメニューは、個々の発電所及び個々の発電所に設置されている発電設備を表示し、それらの選択をユーザに許容する。これらの発電所及び発電設備は、図３に示す基準値ファイル１３１に定義されている発電所及び発電設備から引用されて表示される。キャンセルボタンは、画面表示を初期メニューに復帰させる。
【００３７】
スピンボタン及びキャンセルボタンは、キーボード１０９及びポインティングデバイス１１０によって選択指定が可能となっている。また、スピンボタン及びキャンセルボタンに限らず、ディスプレイ１０８に表示されて遷移する全ての画面において、キーボード１０９及びポインティングデバイス１１０は、項目指定を可能とする。
【００３８】
図５（ｂ）は、発電所及び発電設備の入力用ボックスにおいて、プルダウンメニューから特定の発電所及び発電設備が選択された場合の遷移画面である。特定の発電所及び発電設備が選択されると、ディスプレイ１０８の画面表示に、ガイダンス及びキャンセルボタンに加えて、クリアボタン、戻るボタン、決定ボタンが出現する。クリアボタンは、選択された発電所及び発電設備をクリアするボタンである。戻るボタンは、一操作前に画面表示を戻すボタンである。決定ボタンは、プルダウンメニュー中から選択された発電所及び発電設備を確定表示させるボタンである。
【００３９】
図５（ｃ）は、図５（ｂ）の画面において決定ボタンが選択指定された場合の遷移画面である。この画面は、入力した発電所及び発電設備についての確認画面である。この確認画面では、プルダウンメニュー中から選択された発電所及び発電設備が確定表示されている。そして、ガイダンス、キャンセルボタン、戻るボタン及び決定ボタンが表示されている。図５（ｃ）に示す画面中の決定ボタンは、発電所及び発電設備の選択を確定させるためのボタンである。発電所及び発電設備の選択確定は、図３中の基準値ファイル１３１における発電所コード及び発電設備コードの一時記憶という形態で実現する。この場合の記憶領域は、一例として、ＲＡＭ１０４である。
【００４０】
ここに、石炭を使用する設備の入力を許容する手段、工程及び機能、そして、ユーザインターフェースであるディスプレイ１０８に、石炭を使用する設備の入力を許容する画面を表示する機能が実行される。
【００４１】
図５（ｄ）は、図５（ｃ）の画面において決定ボタンが選択指定された場合の遷移画面である。この画面では、ガイダンスの表示、石炭炭種の銘柄及びその配合割合の入力用ボックス、キャンセルボタン、戻るボタンが表示されている。石炭炭種の銘柄及びその配合割合の入力用ボックスは、スピンボタンを備えている。スピンボタンは、石炭炭種の銘柄及びその配合割合についてプルダウンメニューの表示をユーザに提供する。プルダウンメニューは、個々の石炭炭種の銘柄及びその配合割合を表示し、それらの選択をユーザに許容する。石炭炭種の銘柄は、図２に示す石炭性状ファイル１２１に定義されている石炭炭種から引用されて表示される。
【００４２】
図５（ｅ）は、石炭炭種の銘柄の入力用ボックスにおいて、プルダウンメニューから特定の石炭炭種が選択された場合の遷移画面である。特定の石炭炭種が選択されると、ディスプレイ１０８の画面表示に、ガイダンス及びキャンセルボタンに加えて、クリアボタン、戻るボタン、決定ボタンが出現する。クリアボタンは、選択された石炭炭種をクリアするボタンである。戻るボタンは、一操作前に画面表示を戻すボタンである。決定ボタンは、プルダウンメニュー中から選択された石炭炭種及び配合割合を確定表示させるボタンである。
【００４３】
石炭炭種の銘柄及びその配合割合の入力用ボックスは、三銘柄の石炭炭種及び配合割合の入力をユーザに提供する。三銘柄というのは一例であり、二銘柄であっても、四銘柄以上であっても良い。配合割合の入力用ボックスには、プルダウンメニュー中から一銘柄の石炭炭種が選択された場合には１００％がデフォルト表示され、二銘柄の石炭炭種が選択された場合にはそれぞれ５０％と５０％とがデフォルト表示され、三銘柄の石炭炭種の選択された場合にはそれぞれ３３％と３３％と３４％とがデフォルト表示される。これらのデフォルト表示は、配合割合の入力用ボックスが備えるスピンボタンに指定によってプルダウンメニューを表示させ、プルダウンメニューからの選択によって変更することが可能である。
【００４４】
図５（ｆ）は、図５（ｅ）の画面において決定ボタンが選択指定された場合の遷移画面である。この画面は、入力された石炭炭種及び配合割合についての確認画面である。この確認画面では、プルダウンメニュー中から選択された石炭炭種及びデフォルト設定若しくはプルダウンメニュー中から選択された配合割合が確定表示されている。そして、ガイダンス、キャンセルボタン、戻るボタン及び決定ボタンが表示されている。図５（ｆ）に示す画面中の決定ボタンは、石炭炭種及び配合割合の選択を確定させるためのボタンである。石炭炭種及び配合割合の選択確定は、図２中の石炭性状ファイル１２１における炭種コード及びデフォルト設定若しくはプルダウンメニュー中から選択された配合割合の一時記憶という形態で実現する。この場合の記憶領域は、一例として、ＲＡＭ１０４である。
【００４５】
ここに、１又は２以上の石炭炭種の入力と、入力する石炭炭種の配合割合の入力とを許容する手段、工程及び機能が実行され、また、１又は２以上の石炭炭種の入力を許容する画面と、入力する石炭炭種の配合割合の入力を許容する画面とを表示する機能が実行される。
【００４６】
図５（ｇ）は、図５（ｆ）の画面において決定ボタンが選択指定された場合の遷移画面である。この画面は、今までの入力情報、つまり、入力された発電所及び発電設備、並びに、入力された石炭炭種及び配合割合についての最終確認画面である。そこで、入力された発電所及び発電設備、並びに、入力された石炭炭種及び配合割合が表示されている。その他、この最終確認画面には、ガイダンス、キャンセルボタン、戻るボタン及び決定ボタンが表示されている。
【００４７】
図５（ｇ）の最終確認画面において、決定ボタンが選択指定されると、ＣＰＵ１０２は、入力情報に基づいて第１〜第３の処理を実行する。
【００４８】
第１の処理として、図２に示す石炭性状ファイル１２１を検索し、入力された石炭炭種についての性状項目値を取得する。つまり、入力された石炭炭種は、炭種コードという形態でＲＡＭ１０４に一時記憶されているので、ＣＰＵ１０２は、例えばＨＤＤ１０６に記憶保存されている石炭性状ファイル１２１を検索し、ＲＡＭ１０４に一時記憶された炭種コードに対応する各種の性状項目値を石炭性状ファイル１２１から取得し、ＲＡＭ１０４に一時記憶する。
【００４９】
ここに、石炭性状ファイル１２１を検索し、入力された石炭炭種についての性状項目値を取得する手段、工程及び機能が実行される。
【００５０】
第２の処理として、取得した石炭炭種毎の性状項目値に基づいて、入力された配合割合に応じた混炭後の性状項目値を算出する。つまり、入力された配合割合は、ＲＡＭ１０４に一時記憶されているので、ＣＰＵ１０２は、第１の処理で取得した各炭種の性状項目値に基づいて、ＲＡＭ１０４に一時記憶された配合割合に応じた混炭後の性状項目値を算出する。例えば、石炭炭種として「マウントオーエン」と「コーレックス」とが選択され（図２参照）、それらの配合割合が５０％ずつであり、性状項目値として例えば総発熱量が７，０００Ｋcal と６，７００Ｋcal である場合、混炭後の総発熱量は、（７，０００×５０％）＋（６，７００×５０％）＝６，８５０Ｋcal となる。他の性状項目についても、同様に算出される。算出した混炭後の性状項目値は、ＲＡＭ１０４に一時記憶される。
【００５１】
ここに、取得した石炭炭種毎の性状項目値に基づいて、入力された配合割合に応じた混炭後の性状項目値を算出する手段、工程及び機能が実行される。
【００５２】
もっとも、ここで「混炭」と言っているのは、二種類以上の炭種が選択された場合を想定しており、一種類の炭種の石炭しか選択されなかった場合には、言うまでもなく、その炭種の性状項目値に基づいてのみ演算処理がなされることになる。例えば、石炭炭種として「マウントオーエン」のみが選択され（図２参照）、その配合割合が１００％であり、性状項目値として例えば総発熱量が７，０００Ｋcal である場合、算出後の総発熱量は、（７，０００×１００％）＝７，０００Ｋcal となる。この場合、誤入力等によって配合割合が１００％以外となってしまった場合、一例として、配合割合を５０％と入力してしまった場合、算出後の総発熱量は、（７，０００×５０％）＝３，５００Ｋcal となる。そこで、このような演算結果の出力を防止したい場合には、図５（ｅ）によって入力可能な配合割合が、必ず合計で１００％となるように処理すれば良い。
【００５３】
第３の処理として、図３に示す基準値ファイル１３１を参照し、算出された混炭後の性状項目値が入力された発電設備の基準値内に収まっているかどうかを判定する。つまり、入力された発電設備は、発電設備コードという形態でＲＡＭ１０４に一時記憶されているので、ＣＰＵ１０２は、例えばＨＤＤ１０６に記憶保存されている基準値ファイル１３１を検索し、ＲＡＭ１０４に一時記憶された発電設備コードに対応する各種性状項目についての基準値を基準値ファイル１３１から取得し、ＲＡＭ１０４に一時記憶する。そして、第２の処理で算出してＲＡＭ１０４に一時記憶した混炭後の性状項目値とＲＡＭ１０４に一時記憶した基準値とを比較し、混炭後の性状項目値のそれぞれが基準値内に収まっているかどうかを判定する。この場合、基準値は、「≦×××」、「≧×××」、「××程度」という定義されている。「××程度」という基準値は、上限値及び下限値、あるいは許容割合値とを更に定義している。そこで、「≦×××」という基準値の場合には、性状項目値がその基準値以上になっているかどうか、「≦×××」という基準値の場合には、性状項目値がその基準値以下になっているかどうか、「××程度」という基準値の場合には、性状項目値がその「程度」について更に定義されている上限値及び下限値、あるいは許容割合値に含まれているかどうか、をもって混炭後の性状項目値のそれぞれが基準値内に収まっているかどうかが判定される。
【００５４】
ここに、基準値ファイル１３１を参照し、算出された混炭後の性状項目値が入力された設備についての基準値内に収まっているかどうかを判定する手段、工程及び機能が実行される。
【００５５】
図６は、石炭性状評価用コンピュータプログラム１１３に従い、判定結果を出力する場合の画面遷移の一例を示す模式図である。図５（ｇ）の最終確認画面において、決定ボタンが選択指定されると、ＣＰＵ１０２は、入力情報に基づいて上記第１〜第３の処理を実行し、図６（ａ）に示す結果表示メニュー画面をディスプレイ１０８に表示する。結果表示メニュー画面は、ガイダンスの表示と、メニューボタンと、キャンセルボタンと、戻るボタンとを含んでいる。メニューボタンは、「性状一覧」と、「性状評価表」と、「ＥＰ集じん性評価表」とを含んでいる。
【００５６】
ガイダンス表示は、各ボタンを選択指定することによって得られる結果について説明する。メニューボタン中の「性状一覧」は、図５（ｆ）で選択決定した個々の銘柄の石炭炭種について、炭種毎の性状項目値の出力、つまり、ディスプレイ１０８への表示を指示するボタンである。メニューボタン中の「性状評価表」は、上記第１〜第３の処理によって得られた判定結果の出力、つまり、ディスプレイ１０８への表示を指示するボタンである。メニューボタン中の「ＥＰ集じん性評価表」は、後述する電気式集塵機（ＥＰ）の集じん性評価表を出力、つまり、ディスプレイ１０８への表示を指示するボタンである。キャンセルボタンは、画面表示を初期メニューに復帰させる。戻るボタンは、一操作前まで画面表示を戻す。
【００５７】
図６（ｂ）は、メニューボタン中の「性状一覧」が選択指定された場合にディスプレイ１０８に表示される画面構成の一例を示している。この画面には、性状一覧１５１が表示される。性状一覧１５１の詳細は図７に示す。
【００５８】
図６（ｃ）は、メニューボタン中の「性状評価表」が選択指定された場合にディスプレイ１０８に表示される画面構成の一例を示している。この画面には、性状評価表１６１が表示される。性状評価表１６１の詳細は図８に示す。
【００５９】
図６（ｄ）は、メニューボタン中の「ＥＰ集じん性評価表」が選択指定された場合にディスプレイ１０８に表示される画面構成の一例を示している。この画面には、集じん性評価表１７１が表示される。集じん性評価表１７１の詳細は図９に示す。
【００６０】
図６（ｂ）に示す性状一覧１５１、図６（ｃ）に示す性状評価表１６１及び図６（ｄ）に示す集じん性評価表１７１は、それぞれの表示画面に表示されるスクロールキー１８１によってスクロール表示可能であり、印刷ボタン１８２によって印刷指定可能であり、戻るボタン１８３によって図６（ａ）に示す結果表示メニュー画面に復帰可能である。
【００６１】
特に、印刷ボタン１８２が選択指定された場合、周辺機器４０１として設けられた図示しないプリンタによって、性状一覧１５１、性状評価表１６１又は集じん性評価表１７１が印刷される。この印刷は、ディスプレイ１０８に対するそれらの性状一覧１５１、性状評価表１６１又は集じん性評価表１７１の表示と共に、判定結果の出力としての機能を担う。ここに、上記第１〜第３の処理によって得た判定結果を出力する手段、工程及び機能が実行される。
【００６２】
図７は、性状一覧１５１を例示する模式図である。図７は、「シャーボーン」と「バルガ」とが石炭炭種として選択された一例である。性状一覧１５１では、図７に示されているように、「シャーボーン」と「バルガ」との性状項目値が表示される。性状一覧１５１は、それらに加えて、「シャーボーン」と「バルガ」との混炭後の性状項目値も表示されている。この混炭後の性状項目値は、上記第２の処理によって算出された値である。
【００６３】
図８は、性状評価表１６１を例示する模式図である。性状評価表１６１中、「評価基準」は、上記第２の処理による算出後の性状項目値であり、「品位」は、上記第３の処理によって基準値ファイル１３１から取得した基準値である。そして、「項目別評価」として○又は×が付されているのが、評価結果である。算出された混炭後、単一炭種の場合には演算後の性状項目値が入力された設備についての基準値内に収まっている場合には「○」、収まっていない場合には「×」と表示される。「項目別評価」中、「−」は、評価対象外の項目である。
【００６４】
図８を参照すると、「×」という評価がなされて項目中、「評価番号」及び「記事」に記載がなされている項目がある。これは、上記第３の処理中、上記第２の処理で算出してＲＡＭ１０４に一時記憶した混炭後の性状項目値とＲＡＭ１０４に一時記憶した基準値との比較の結果、図４に示す記事ファイル１４１が定義する事象定義に該当した性状項目を示している。混炭後の性状項目値と基準値との比較の結果が、記事ファイル１４１が定義する事象定義に該当すると、ＣＰＵ１０２は、その該当した事象定義に対応する評価番号及び記事を呼び出し、それぞれ、性状評価表１６１の該当する性状項目中の「評価番号」及び「記事」に表示する。この「記事」は、「×」という評価が下された性状項目の補完手法等を示唆する。一例として、混炭後の石炭にある物質を加える等が示唆される。
【００６５】
図９は、集じん性評価表１７１を例示する模式図である。集じん性評価表１７１は、電気式集塵機（ＥＰ）の集じん性評価を示している。評価基準は、表１に示す通りである。
【００６６】
【表１】
2007115203.tif 000003
【００６７】
表１中、Ｋは集じん性指数を示している。
【００６８】
集じん性指数Ｋ
＝石炭中の全硫黄分（％）×灰中Ｎａ２ Ｏ（％）×１０００÷石炭中灰分（％）
である。そして、集じん性の評価基準としては、「良」、「要注意」、「不適」の三種類が規定されている。「良」、「要注意」、「不適」は、表１に示す通り、石炭性状値から得たＫ値、ＳｉＯ２ ＋Ａｌ２ Ｏ３ 、Ｆｅ２ Ｏ３ ＋Ｋ２ Ｏの三種類の値を用いて判定している。そこで、ＣＰＵ１０２は、表１に示す評価基準に基づく演算処理を実行し、ＥＰ集じん性評価を行なう。図９に示す例では、要注意という良否判断結果が得られている。
【００６９】
以上、図１ないし図９に基づいて説明したように、本実施の形態によれば、評価対象となっている石炭、とりわけ混炭した場合の石炭について、個々の発電設備での使用の適否を容易に得ることができ、したがって、人間系作業の省力化を図ることができる。
【図面の簡単な説明】
【００７０】
【図１】本発明の実施の一形態として、全体のシステム構成を示すブロック図である。
【図２】石炭性状ファイルの一例を示す模式図である。
【図３】基準値ファイルの一例を示す模式図である。
【図４】記事ファイルの一例を示す模式図である。
【図５】石炭性状評価用コンピュータプログラムに従った処理の進行に応じて遷移する画面遷移の一例を示す模式図である。
【図６】石炭性状評価用コンピュータプログラムに従い、判定結果を出力する場合の画面遷移の一例を示す模式図である。
【図７】出力可能な性状一覧を例示する模式図である。
【図８】出力可能な性状評価表を例示する模式図である。
【図９】出力可能な集じん性評価表を例示する模式図である。
【符号の説明】
【００７１】
１０３  ＲＯＭ（第１の記憶部、第２の記憶部）
１０６  ＨＤＤ（第１の記憶部、第２の記憶部）
１０８  ディスプレイ（ユーザインターフェース）
１０９  キーボード（ユーザインターフェース）
１１０  ポインティングデバイス（ユーザインターフェース）
１２１  石炭性状ファイル
１３１  基準値ファイル
【図１】
2007115203.tif 000004
【図２】
2007115203.tif 000005
【図３】
2007115203.tif 000006
【図４】
2007115203.tif 000007
【図５】
2007115203.tif 000008
【図６】
2007115203.tif 000009
【図７】
2007115203.tif 000010
【図８】
2007115203.tif 000011
【図９】
2007115203.tif 000012